(57)【要約】      （修正有）【課題】家庭菜園で野菜の苗植えを誰もが簡単に整列して定植することを可能にするＵ字形定植位置器具を提供する。【解決手段】Ｕの字形定植位置器具１は、給水管又は配水管約５０φ程度を２ツ割にした、半円の断面Ｕの字形である。底中心部に約２５φ位の穴２を長手方向に約１０ｃｍ間隔で開けてある。Ｕの字形定植位置器具１の長さは扱い易い、持ち運び易くするために１ｍ、１．５ｍ、２ｍ、２．５ｍにする。【選択図】図１
0003156425.tif 000002
【実用新案登録請求の範囲】
【請求項１】
給水管又は配水管約５０φ程度を２ツ割にした、戸ゆぅ受け状態のＵ字形の底中心部に約２５φ位の穴（２）を長手方向に約１０ｃｍ間隔で開けてある器具を特徴とする、しかしサイズには限定しない、Ｕの字形定植位置器具。
【請求項２】
Ｕの字形定植位置器具（１）の長さは扱いやすい持ち運びし安くするのに、１ｍ、１．５ｍ、２ｍ、２．５ｍに加工したものを特徴とする、しかし長さには限定しない、Ｕの字形定植位置器具。
【請求項３】
請求項１に記載したＵの字形定植位置器具（１）を実施の際に苗植えの場合に畝に一定間隔に穴を開けるための剣先ピン（７）を特徴とする。
【考案の詳細な説明】
【技術分野】
【０００１】  本考案は、家庭菜園において野菜苗、及び種蒔する時の整列定植に関する。
【背景技術】
【０００２】  従来の家庭菜園においては一般には目安で苗植え、種蒔をされていることが多い、たまには紐か縄を張って、縄に沿って適当に苗植え、種蒔をされている、しかしこれでは綺麗に揃わないので綺麗な畑にならない、楽しみが薄れると言う欠点があった。
【考案の開示】
【考案が解決しようとする課題】
【０００３】  最近は休日が多くなりな家庭菜園を楽しんでおられるのが現状である、そんな中種蒔、苗植えされても綺麗に整列されていないようです，ここで誰もが田植え、種蒔を綺麗に整列定植、種まきを容易に可能にすることを解決の課題とする。
【課題を解決するための手段】
【０００４】  本考案は給水管及び配水管の約５０φ位を縦長に２ツ割りにする、雨戸ゆの状態つまりＵの字にした底中心部に約２５φの穴（２）を  長手方向に１定間隔で開けたＵ字形定植位置器具（１）作る、
そうして畑を耕し畝（３）を作った、畝（３）上にＵ字形定植位置器具（１）を置き少し軽く叩いてＵ字形定植位置器具（１）を１５ｍｍ程度沈める、次に  Ｕ字形定植位置器具（１）の穴の所に種（１２）を好みの数だけパラパラと蒔く。【０００５】  又苗植えの場合はＵ字形定植位置器具（１）の穴（２）中心に、剣先ピン（７）で押し刺していきます、刺し終えたらＵ字形定植位置器具（１）を取り除き、畝のところには１定間隔に穴が開いており、その畝の穴が開いたところえ苗（９）を入れて土を寄せて土を固めます、綺麗に整列することで解決するための手段とする。
【考案の効果】
【０００６】  本考案はＵ字形定植位置器具（１）を使用することにより、簡単に確実に苗植え、種蒔が可能にするものである整列して野菜が育つので畑が美しく見栄えが良くて楽しい家庭菜園になる大きな効果がある。
【考案を実施するための最良の形態】
【０００７】  本考案のＵ字形定植位置器具（１）は給水管及び配水管を立て２ツ割にしたものを用いる、Ｕ字形の底中心部に径約２５φ位の穴（２）を長手方向に１定間隔で穴あけする、Ｕ字形定植位置器具（１）の全体の長さは１．５ｍ、２ｍ、２．５、と製作しておき、実施の場合畑の畝の長さと使い易さに応じる、例えば畝の長さが３ｍあるなら１．５ｍのＵ字形定植位置器具（１）を二回繰り返して使用する。
【実施例】
【０００８】  図２で示すように畑を耕して畝を作りその畝（３）の上にＵ字形定植位置器具（１）を置き軽く少し叩くか押さえて沈める、Ｕ字形定植位置器具（１）の穴（２）の開いたところに種を３〜４個ばら蒔く、又苗の場合はＵ字形定植位置器具（１）の穴（２）の中心を剣先ピン（７）で押し刺していくＵ字形定植位置器具（１）を取り除きくその後には剣先ピン（７）で刺した穴が開いているのでそこに苗（９）を入れて土を寄る、Ｕ字形定植位置器具（１）を使用することにより苗、種ともが芽生えた時は綺麗に整列しているために美しい畑作りになる。
【図面の簡単な説明】
【０００９】
【図１】  給水管及び配水管を縦て２ツ割にして一定間隔に穴あけしたＵ字形定植位置器具（１）
【図２】  Ｕ字形定植位置器具（１）を畝の上に置いた斜視図
【図３】  Ｕ字形定植位置器具（１）を畝の上に置いて（２−１）は剣先ピン（７）で刺したもの、（２−２）種を蒔いた状態斜視図
【図４】  剣先ピン（７）平面図
【図５】  畝の上にＵ字形定植位置器具（１）を置いて剣先ピン（７）で一定間隔定植穴を押し開けている状態を示す斜視図
【図６】  畝の上にＵ字形定植位置器具（１）を置いて剣先ピン（７）で一定間隔定植穴を押し開けている状態を示す断面図
【図７】  畝の上に穴を押し開けした所に苗を移植した側面図
【図８】  畝の上にＵ字形定植位置器具（１）によって種蒔きした畝の平面図と断面図
【符号の説明】
【０００９】１        Ｕ字形定植位置器具
２        穴（一定間隔に定植する）
３        土を盛り上げた畝
４        畝の断面
５        窪み
６        剣先ピンの断面
７        剣先ピン
８        剣先
９        苗
１０      押し開けた穴
１１      穴跡
１２      種
Ａ−Ａ    畝の断面図
２−１    剣先ピンで刺した穴
２−２    蒔いた種
７−１    剣先ピン押し刺した状態
【図１】
0003156425.tif 000003
【図２】
0003156425.tif 000004
【図３】
0003156425.tif 000005
【図４】
0003156425.tif 000006
【図５】
0003156425.tif 000007
【図６】
0003156425.tif 000008
【図７】
0003156425.tif 000009
【図８】
0003156425.tif 000010
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
給水管又は配水管約５０φ程度を２ツ割にした、雨戸ゆう受け形状のＵ字形の底中心部に約２５φ位の穴（２）を長手方向に約１０ｃｍ間隔で開けてある器具を特徴とする、しかしサイズには限定しない、Ｕの字形定植位置器具（１）。
【請求項２】
Ｕの字形定植位置器具（１）の長さは扱い易い、持ち運び易くするために１ｍ、１．５ｍ、２ｍ、２．５ｍにしたものを特徴とする、しかし長さには限定しない、Ｕの字形定植位置器具。
【請求項３】
請求項１に記載したの字形定植位置器具（１）を畝の上に置き実施の際に苗植えの場合には畝に一定間隔に穴を開けるためにの字形定植位置器具（１）の穴（１１）をゲージとして、剣先ピン（７）で畝に押し刺すことを特徴とする、の字形定植位置器具（１）
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
給水管又は配水管約５０φ程度を２ツ割にした、半円の断面Ｕの字形の延長を言う、Ｕの字形定植位置器具（１）この底中心部に約２５φ位の穴（２）を長手方向に約１０ｃｍ間隔で開けてある器具を特徴とする、Ｕの字形定植位置器具（１）。
【請求項２】
Ｕの字形定植位置器具（１）の長さは扱い易い、持ち運び易くするために１ｍ、１．５ｍ、２ｍ、２．５ｍにしたものを特徴とする、Ｕの字形定植位置器具（１）。
【請求項３】
請求項１に記載したＵの字形定植位置器具（１）を畝（３）の上に置き実施の際苗植えの場合、畝（３）に一定間隔に穴を開けるためＵの字形定植位置器具（１）の穴（１１）をゲージとして、剣先ピン（７）で畝（３）に押し刺す、刺した後Ｕの字形定植位置器具（１）を畝から取り除き、畝に（３）穴（１０）が空き、その穴（１０）に苗（９）を入れて移植する事を特徴とした、剣先ピン（７）。
【手続補正書】
【提出日】平成21年9月29日(2009.9.29)
【手続補正１】
【補正対象書類名】実用新案登録請求の範囲
【補正対象項目名】全文
【補正方法】変更
【補正の内容】
【実用新案登録請求の範囲】
【請求項１】
給水管又は配水管約５０φ程度を２ツ割にした、半円の断面Ｕの字形の延長を言う、Ｕの字形定植位置器具（１）この底中心部に約２５φ位の穴（２）を長手方向に約１０ｃｍ間隔で開けてある器具を特徴とする、Ｕの字形定植位置器具（１）。
【請求項２】
Ｕの字形定植位置器具（１）の長さは扱い易い、持ち運び易くするために１ｍ、１．５ｍ、２ｍ、２．５ｍにしたものを特徴とする、請求項１記載のＵの字形定植位置器具（１）。
【請求項３】
請求項１に記載したＵの字形定植位置器具（１）を畝（３）の上に置き実施の際苗植えの場合、畝（３）に一定間隔に穴を開けるためＵの字形定植位置器具（１）の穴（１１）をゲージとして、剣先ピン（７）で畝（３）に押し刺す、刺した後Ｕの字形定植位置器具（１）を畝から取り除き、畝に（３）穴（１０）が空き、その穴（１０）に苗（９）を入れて移植する事を特徴とした、剣先ピン（７）。